(57)【要約】【課題】統一感のある合成画像を作成する。【解決手段】レイアウト領域ＬＡ１、ＬＡ２、ＬＡ３に写真画像Ｐｉｃ．１、Ｐｉｃ．２Ｐｉｃ．３をそれぞれ嵌め込んだテンプレート画像ＴＰ１の非レイアウト領域ＢＡ１に着色する色を決定する。例えばレイアウト領域ＬＡ１、ＬＡ２、ＬＡ３のそれぞれに嵌め込まれた写真画像Ｐｉｃ．１、Ｐｉｃ．２、Ｐｉｃ．３を解析することにより、統一色を検出する。検出された統一色とカラーデータテーブルとから、非レイアウト領域ＢＡ１に着色する色を決定する。決定された色を非レイアウト領域ＢＡ１の色とした情報をアルバム画像データに付加する。モニタ等に表示されるアルバム画像ＡＰ１において、写真画像Ｐｉｃ．１、Ｐｉｃ．２、Ｐｉｃ．３の色調と、テンプレート画像ＴＰ１の非レイアウト領域ＢＡ１の色調とが調和したものとなる。【選択図】        図２
2006350521.tif 000002
【特許請求の範囲】
【請求項１】
１つの静止画像が嵌め込まれるレイアウト領域を少なくとも１つ備えたテンプレート画像に、複数の静止画像の中から選択された静止画像を合成することによって合成画像を作成する画像作成装置において、
前記レイアウト領域の周囲の非レイアウト領域の色調を、前記レイアウト領域に嵌め込まれた静止画像の色調に合わせて決定する色調決定手段を備えたことを特徴とする画像作成装置。
【請求項２】
前記テンプレート画像が前記レイアウト領域を複数備えている場合には、前記色調決定手段は、複数のレイアウト領域に嵌め込まれる複数の静止画像を解析した結果に基づいて、前記非レイアウト領域の色調を決定することを特徴とする請求項１記載の画像作成装置。
【請求項３】
前記非レイアウト領域に模様が施されている場合には、前記色調決定手段は、この模様の背景色を非レイアウト領域の色調として決定することを特徴とする請求項１又は２記載の画像作成装置。
【請求項４】
１つの静止画像が嵌め込まれるレイアウト領域を少なくとも１つ備えたテンプレート画像に、複数の静止画像の中から選択された静止画像を合成することによって合成画像を作成する画像作成用プログラムにおいて、
前記レイアウト領域の周囲の非レイアウト領域の色調を、前記レイアウト領域に嵌め込まれた静止画像の色調に合わせて決定する色調決定手段としてコンピュータを機能させることを特徴とする画像作成用プログラム。
【発明の詳細な説明】
【技術分野】
【０００１】
本発明は、写真画像等の静止画像を嵌め込むレイアウト領域が設けられたテンプレート画像に、複数の写真画像から選択された写真画像を合成することによって合成画像を作成する画像作成装置、及び画像作成用プログラムに関するものである。
【背景技術】
【０００２】
デジタルカメラやビデオカメラによって得られた写真画像の画像データをパーソナルコンピュータ（ＰＣ）の内部に取り込んで、アルバム画像を作成するソフトが提供されている。また、インターネット上で上述した写真画像の画像データを用いてアルバム画像や、これを用いたアルバムを作成するサービスや、写真画像データを記憶した記憶媒体をサービス業者に依託して、上述したアルバムやアルバム画像を作成してもらうサービスも提供されている。
【０００３】
例えば、アルバム画像を作成するソフトを用いた場合、モニタに表示されたテンプレート画像から意図するテンプレート画像を選択し、選択されたテンプレート画像のレイアウト領域に写真画像を順次配置していき、アルバム画像を作成するのが一般的である。この場合、テンプレート画像に設けられたレイアウト領域は、予め固定、或いは、写真画像を配置したときに位置調整ができるようになっている（特許文献１）。このように、アルバム画像を作成するソフトを用いた場合には、アルバム画像を作成する際の操作が容易であり、簡単にアルバム画像を作成することができる。また、ＰＣによって接続したインターネット上でアルバム画像や、これに基づいたアルバムを作成する場合も同様である。
【特許文献１】特許第２９８２１４９号公報
【発明の開示】
【発明が解決しようとする課題】
【０００４】
しかしながら、このようなアルバム画像や、アルバムを作成する場合、テンプレート画像のレイアウト領域に写真画像を順次嵌め込んでいくため、例えば、ユーザーが嵌め込まれた写真画像と、テンプレート画像とが調和したアルバム画像となりにくいという問題がある。また、アルバム画像を作成する際に、ユーザーがテンプレート画像を選択しているにも関わらず、写真画像を合成した後のアルバム画像において、統一感のないアルバム画像となる場合があり、このような場合には、写真画像の色調を補正する、或いはテンプレート画像の色調を変える画像処理を行う必要がある。例えば写真画像の色調を補正す留場合には、色調補正された写真画像が意図しない色調となるという欠点や、色調補正の作業に時間がかかり、アルバム画像を作成する際の費用が掛かるという欠点がある。
【０００５】
本発明は、上記課題を解決するためになされたものであり、写真画像の色調補正を行わなくても、統一感のある合成画像を容易に作成することができるようにした画像作成装置、及び画像作成用プログラムを提供するものである。
【課題を解決するための手段】
【０００６】
本発明の画像作成装置は、１つの静止画像が嵌め込まれるレイアウト領域を少なくとも１つ備えたテンプレート画像に、複数の静止画像の中から選択された静止画像を合成することによって合成画像を作成する画像作成装置において、前記レイアウト領域の周囲の非レイアウト領域の色調を、前記レイアウト領域に嵌め込まれた静止画像の色調に合わせて決定する色調決定手段を備えたことを特徴とする。
【０００７】
また、前記テンプレート画像が前記レイアウト領域を複数備えている場合には、前記色調決定手段は、複数のレイアウト領域に嵌め込まれる複数の静止画像を解析した結果に基づいて、前記非レイアウト領域の色調を決定することを特徴とする。
【０００８】
また、前記非レイアウト領域に模様が施されている場合には、前記色調決定手段は、この模様の背景色を非レイアウト領域の色調として決定することを特徴とする。なお、模様としては、絵柄、図柄、文字等が挙げられる。
【０００９】
また、本発明の画像作成用プログラムは、１つの静止画像が嵌め込まれるレイアウト領域を少なくとも１つ備えたテンプレート画像に、複数の静止画像の中から選択された写真画像を合成することによって合成画像を作成する画像作成用プログラムにおいて、前記レイアウト領域の周囲の非レイアウト領域の色調を、前記レイアウト領域に嵌め込まれた静止画像の色調に合わせて決定する色調決定手段としてコンピュータを機能させることを特徴とする。
【発明の効果】
【００１０】
本発明の画像作成装置によれば、１つの静止画像が嵌め込まれるレイアウト領域を少なくとも１つ備えたテンプレート画像に、複数の静止画像の中から選択された写真画像を合成することによって合成画像を作成する画像作成装置において、前記レイアウト領域の周囲の非レイアウト領域の色調を、前記レイアウト領域に嵌め込まれた静止画像の色調に合わせて決定する色調決定手段を備えたから、レイアウト領域に嵌め込む静止画像を選択するだけで、統一感のある合成画像を自動的に作成することができる。
【００１１】
また、前記テンプレート画像が前記レイアウト領域を複数備えている場合には、前記色調決定手段は、複数のレイアウト領域に嵌め込まれる複数の静止画像を解析した結果に基づいて、前記非レイアウト領域の色調を決定するから、複数の静止画像をテンプレート画像に合成する場合には、嵌め込まれる静止画像のそれぞれと調和する色調を短時間に決定することができるので、作業性を向上させることができる。
【００１２】
また、前記非レイアウト領域に模様が施されている場合には、色調決定手段は、この模様の背景色を非レイアウト領域の色調として決定するから、テンプレート画像に模様が施されている場合であっても、容易に非レイアウト領域の色調を決定することができる。
【発明を実施するための最良の形態】
【００１３】
図１は、アルバム画像作成装置の構成の一例を示す機能ブロック図である。このアルバム画像作成装置１０は、写真画像データとテンプレート画像データＴＤとを用いてアルバム画像データＡＤを作成するものである。このアルバム画像作成装置１０は、データ読み取り部１１と、データ書き込み部１２とを備えている。
【００１４】
データ読み取り部１１は、例えば磁気ディスクや、ＣＤ−Ｒ（Ｃｏｍｐａｃｔ  Ｄｉｓｋ  Ｒｅｃｏｒｄａｂｌｅ）等の光ディスクからなる記憶媒体１３に記憶された写真画像データの読み取りを行うために設けられている。データ読み取り部１１において読み取られた写真画像データはＲＡＭ１７に作成された写真画像フォルダＰＦに記憶され、ＣＰＵ１５においてアルバム作成プログラムＰＧ１が実行された場合に、該写真画像フォルダＰＦから写真画像データが読み出される。なお、写真画像データとしては、デジタルカメラやカメラ付き携帯電話などの撮像装置により得られた写真画像データが挙げられる他に、写真フイルム、印画紙に記録された画像を光電的に読み取ることにより取得された写真画像データを含むものとする。また、静止画像として写真画像について説明するが、静止画像としては、写真画像の他に、パーソナルコンピュータ（ＰＣ）で作成された絵やマーク等の画像も含まれる。
【００１５】
データ書き込み部１２は、アルバム作成プログラムＰＧ１を実行することによって得られたアルバム画像データＡＤを、例えば磁気ディスクやＣＤ−Ｒ（Ｃｏｍｐａｃｔ  Ｄｉｓｋ  Ｒｅｃｏｒｄａｂｌｅ）等の光ディスクからなる記憶媒体１４に書き込むために設けられている。
【００１６】
アルバム画像作成装置１０は、ＣＰＵ１５、ＲＯＭ１６、ＲＡＭ１７を主要部とし、ＣＰＵ１５は、ＲＯＭ１６に記憶されたアルバム作成プログラムＰＧ１を実行することにより、制御部２０、テンプレート選択部２１、アルバム画像合成部２２、代表色検出部２３、統一色検出部２４、画像処理部２５として機能する。
【００１７】
テンプレート選択部２１は、例えばユーザーが希望するテンプレート画像が指定された場合に、該当するテンプレート画像データＴＤ１をデータベース３０に設けられたテンプレートフォルダ３１から読み出す。図２に示すように、テンプレート画像ＴＰ１は、写真画像を嵌め込むレイアウト領域ＬＡ１、ＬＡ２、ＬＡ３と、写真画像を嵌め込まない領域、つまり非レイアウト領域ＢＡ１とが設けられている。なお、テンプレート画像ＴＰ１の基となるテンプレート画像データＴＤ１は、レイアウト領域ＬＡ１、ＬＡ２、ＬＡ３に関する付帯データを有しているが、非レイアウト領域ＢＡ１の色に関するデータを付帯データとして有していないテンプレート画像データである。
【００１８】
アルバム画像合成部２２は、テンプレート選択部２１によって選択されたテンプレート画像と写真画像とを合成するために設けられている。図２に示すように、例えば写真画像Ｐｉｃ．１をレイアウト領域ＬＡ１に、写真画像Ｐｉｃ．２をレイアウト領域ＬＡ２に、写真画像Ｐｉｃ．３をレイアウト領域ＬＡ３にそれぞれ嵌め込むように、写真画像Ｐｉｃ．１〜３とテンプレート画像ＴＰ１とを合成する。この際、レイアウト領域ＬＡ１、ＬＡ２、ＬＡ３に嵌め込まれる写真画像は、レイアウト領域の大きさ（例えばアスペクト比等）に合わせてトリミング処理が行われる。なお、テンプレート画像ＴＰ１はテンプレート画像データＴＤ１に、写真画像Ｐｉｃ．１〜Ｐｉｃ．３は写真画像データにそれぞれ基づくものであるから、テンプレート画像ＴＰと写真画像Ｐｉｃ．１〜Ｐｉｃ．３とを合成することによってアルバム画像ＡＰに基づいたアルバム画像データＡＤ１が作成されることになる。なお、このアルバム画像データＡＤ１は一旦ＲＡＭ１７に記憶される。なお、各レイアウト領域に嵌め込む写真画像は、ユーザーによって選択された写真画像、或いは嵌め込まれる写真画像のアスペクト比、大きさ等のデータがレイアウト領域毎に付帯されている場合には、これら情報に基づいて自動的に選択された写真画像のいずれかである。
【００１９】
統一色検出部２４は、テンプレート画像のレイアウト領域に嵌め込まれた写真画像の統一色を検出する。この統一色は、アルバム画像として統一感を出すための色である。この統一色検出部２４は、テンプレート画像に合成された全写真画像を用いて、該全画像におけるヒストグラムを作成することによって統一色を検出する。ヒストグラムは、周知のように、写真画像における色情報を画素毎に検出し、カウントすることで得られる度数分布である。このヒストグラムの例としては、写真画像をＲ、Ｇ、Ｂの各色成分に分解して、横軸を階調値、縦軸を画素数として作成されるヒストグラム、或いは、写真画像の各画素の色をそのまま用い、横軸をカラーコード、縦軸を画素数として作成されるヒストグラムが挙げられる。なお、カラーコードとは、色を１６進数で示すコードである。この代表色検出部２１は、作成されたヒストグラムからその代表値を求める。この代表値としては、平均値、中央値、最頻値等があり、いずれか１つの値が代表値に選択される。なお、統一色の検出方法は、作成されたヒストグラムを用いて検出される他に、例えば写真画像のそれぞれにおける代表色を求め、これら代表色の色成分の平均値を算出することによって検出することが挙げられる。
【００２０】
画像処理部２５は、例えば、アルバム画像合成部２２によって合成されたアルバム画像に対して、画像処理を行うために設けられている。上述したように、本実施形態のテンプレート画像の場合、非レイアウト領域の色情報を保持していないテンプレート画像を用いているので、アルバム画像合成部２２で合成されたアルバム画像は、非レイアウト領域に着色が行われていない。この画像処理部２５は、統一色検出部２４において検出された統一色と、ＲＡＭ１７に記憶されたカラーデータテーブル３２とから非レイアウト領域に施す色を決定し、決定された色を用いて非レイアウト領域を着色する。なお、カラーデータテーブル３２は、統一色の色範囲と、非レイアウト領域に着色する色とを割り当てたテーブルデータである。
【００２１】
画像表示部４０は、例えば液晶パネルを備え、アルバム画像作成を実行する際の入力表示、データ読み取り部１１によって読み取られた写真画像表示、或いは作成されたアルバム画像のプレビュー画像の表示が行われる。入力操作部４１は、キーボードやマウス、タッチパネルなどからなり、アルバム画像作成時の入力操作や、プレビュー画像に基づいた修正を行う際に操作される。プリンタ４２は、画像表示部４０に表示されたプレビュー画像を印刷するために設けられている。
【００２２】
次に、本発明のアルバム作成装置１０を用いてアルバム画像データを作成する手順を図３のフローチャートを参照して説明する。記憶媒体１３に記憶された写真画像データをデータ読み取り部１１によって読み取り、読み取った写真画像データをＲＡＭ１７に設けられた写真画像フォルダＰＦにコピーする。写真画像フォルダＰＦに写真画像データのコピーが終了すると、制御部２０は、データベース３０のテンプレートフォルダ３１に記憶されたテンプレート画像データを読み出して、テンプレート画像のサムネイル画像を画像表示部に表示させる。ユーザーは、画像表示部に表示されたテンプレート画像のサムネイル画像から、意図するテンプレート画像を選択する。
【００２３】
テンプレート画像の選択が終了すると、該テンプレート画像のレイアウト領域に嵌め込む写真画像を選択する。なお、テンプレート画像の選択が終了すると、画像表示部４５には、複数の写真画像がサムネイル画像として一覧表示されるので、ユーザーは、これら写真画像から、アルバム画像の作成に使用する写真画像を選択する。図２に示すように、テンプレート画像ＴＰ１にレイアウト領域ＬＡ１、ＬＡ２、ＬＡ３が設けられている場合、ユーザーは、複数の写真画像から、３つの写真画像（例えば、写真画像Ｐｉｃ．１〜３）を選択する。写真画像が選択されると、アルバム画像合成部２２は、選択されたテンプレート画像データＴＤ１及び写真画像データを用いて、アルバム画像データＡＤ１を作成する。なお、この場合、写真画像は、嵌め込まれるレイアウト領域の大きさに合わせてトリミング処理が行われた後に、レイアウト領域に嵌め込まれることになる。
【００２４】
アルバム画像合成部２２によって作成されたアルバム画像データＡＤ１は、非レイアウト領域ＢＡ１における色情報を有していないので、アルバム画像データＡＤ１が作成されると、統一色決定部２４によって非レイアウト領域ＢＡ１に着色する色が決定される。統一色決定部２４は、レイアウト領域に嵌め込まれた全写真画像における統一色を検出する。
【００２５】
統一色が検出されると、画像処理部２５では、ＲＡＭ１７に記憶されたカラーデータテーブル３３を読み出す。そして、読み出されたカラーデータテーブル３３と、検出された統一色とから、非レイアウト領域ＢＡ１に着色する色を決定する。例えば、図２に示すように、統一色検出部で検出された統一色が、（Ｒ、Ｇ、Ｂ）＝（１４８，８２，２１９）の青色となる場合、カラーデータテーブル３３から、（Ｒ、Ｇ、Ｂ）＝（１８５，２２４，２３４）の青色が非レイアウト領域ＢＡ１に着色する色として決定される。この画像処理部２５にて決定された色は、非レイアウト領域ＢＡ１の色情報として、アルバム画像データＡＤ１に付加され、該アルバム画像データＡＤ１は、ＲＡＭ１７に記憶される。
【００２６】
この画像処理部２５において使用されるカラーデータテーブル３３は、統一色の色範囲に対して、該色範囲に調和する色が割り振られているから、非レイアウト領域ＢＡ１の色の情報が付加されたアルバム画像データＡＤ１を用いたプレビュー画像を画像表示部４５に表示させると、写真画像と非レイアウト領域との色調が調和したプレビュー画像となる。なお、ＲＡＭ１７に記憶されたアルバム画像データＡＤ１は、データ書き込み部１２に転送され、記憶媒体１４に書き込まれる、或いは、プリンタ４７に転送されプリントされる。
【００２７】
以上のように、本発明の実施形態について説明したが、本発明は上記実施形態に限られず、適宜の変更が可能である。例えば、上記実施形態のアルバム画像作成装置は、アルバム画像を作成する専用の装置として構成されているが、アルバム作成プログラムが組み込まれたデジタルスチルカメラ、又はパーソナルコンピュータによってアルバム画像を作成するようにしてもよい。
【００２８】
本実施形態では、テンプレート画像データとして、非レイアウト領域の色データを付帯していないテンプレート画像データの例を取り上げたが、これに限定する必要はなく、非レイアウト領域の色データを付帯したテンプレート画像データの場合であっても、本実施形態を実行することができる。この場合、例えば、テンプレート画像データに付帯された非レイアウト領域の色と、複数の写真画像から得られた統一色から決定された色とが異なる場合には、統一色から決定された色を非レイアウト領域の色とする。
【００２９】
本実施形態では、ＲＡＭに記憶されたカラーデータテーブルの構成を、統一色の色範囲に対して、該色範囲に調和する色が割り振られたデータテーブルとしたが、これに限定する必要はなく、例えば、統一色に対して、該統一色に調和する色範囲が割り振られたデータテーブルから構成しても良い。この場合、例えば、カラーデータテーブルから決定されるのが色範囲となるので、例えば、色範囲内の色を無作為、或いは、写真画像を解析した結果に基づいて選択する、或いは該色範囲内の色を非レイアウト領域に着色した複数のアルバム画像をサムネイル画像として画像表示部に表示させ、ユーザーが意図するアルバム画像を選択させる等、適宜の方法を用いることができる。
【００３０】
本実施形態では、ＲＡＭに記憶されたカラーデータテーブルを用いて、非レイアウト領域に着色する色を決定したが、これに限定される必要はなく、例えば統一色検出された統一色からレイアウト領域に着色する色の色範囲を決定することも可能である。この場合、レイアウト領域に嵌め込まれた写真画像の代表色を、写真画像毎に検出する。例えば、図４に示すように、写真画像Ｐｉｃ．５〜７が合成されたアルバム画像ＡＰ２の場合について説明する。例えばテンプレート画像に合成された写真画像Ｐｉｃ．５の代表色が（Ｒ、Ｇ、Ｂ）＝（１２０，６５，１８０）からなる青色、写真画像Ｐｉｃ．６の代表色が（Ｒ、Ｇ、Ｂ）＝（８５，１２４，１６７）からなる青色、写真画像Ｐｉｃ．７の代表色が（Ｒ、Ｇ、Ｂ）＝（４５，２８，１５０）からなる青色となる場合、画像処理部は、これら代表色からテンプレート画像の非レイアウト領域ＢＡ２に着色する色の色範囲を、例えば青系統の色と決定する。また、画像処理部は、決定された青系統の色で、例えば写真画像Ｐｉｃ．５〜７の代表色よりも明るい青色として、例えば（Ｒ、Ｇ、Ｂ）＝（１６３，２１４，２３８）の青色を非レイアウト領域ＢＡ２に着色する色として決定する。なお、この場合、代表色よりも明るい青であれば良い。また、非レイアウト領域ＢＡ２に着色される青色を、代表色よりも明るい色としたが、これに限定する必要はなく、写真画像の色調と、非レイアウト領域の色調とが調和していればよく、例えば、代表色が明るい色調である場合には、非レイアウト領域に着色される色を暗い色調にするなど、適宜決定できるものとする。
【００３１】
本実施形態では、レイアウト領域と、模様が施されていない非レイアウト領域とからなるテンプレート画像について説明したが、非レイアウト領域に、絵柄、文字等の模様が施されているテンプレート画像を用いることも可能である。図５に示すように、例えば、テンプレート画像ＴＰ３には、レイアウト領域ＬＡ１０、ＬＡ１１、ＬＡ１２と非レイアウト領域ＢＡ３とから構成されている。この非レイアウト領域ＢＡ３には、帯状の絵柄５０が、またレイアウト領域ＬＡ１１の下方に文字５１が施されている。この場合、非レイアウト領域ＢＡ３のうち、帯状の絵柄５０、文字５１を除く領域を、写真画像の色調と調和する色から着色する。この場合、例えば写真画像から得られる代表色、或いは統一色から一義的に、非レイアウト領域に施された帯状の絵柄、文字、或いはそれらを除く領域の色を決定してもよいし、上記代表色、或いは統一色から求められる色範囲から、これら箇所に着色する色を決定する。
【図面の簡単な説明】
【００３２】
【図１】本発明のアルバム画像作成装置の構成を示す機能ブロック図である。
【図２】テンプレート画像に合成される写真画像の色調からテンプレート画像の非レイアウト領域に着色する色を決定する際の流れを示す説明図である。
【図３】アルバム画像作成の流れを示すフローチャートである。
【図４】テンプレート画像に合成された写真画像の代表色からテンプレート画像の非レイアウト領域に着色する色を決定する際の流れを示す説明図である。
【図５】非レイアウト領域に、模様や文字が施されているテンプレート画像の一例を示す説明図である。
【符号の説明】
【００３３】
１０  アルバム画像作成装置
１１  データ読み取り部
１２  データ書き込む部
１３，１４  記憶媒体
１５  ＣＰＵ
１６  ＲＯＭ
１７  ＲＡＭ
２１  テンプレート選択部
２２  アルバム画像合成部
２４  統一色決定部
２５  画像処理部
３０  データベース
３３  カラーデータテーブル
４５  画像表示部
４６  入力操作部
ＰＧ１  アルバム作成用プログラム
ＴＤ１  テンプレート画像データ
ＴＰ１、ＴＰ３  テンプレート画像
ＬＡ１〜ＬＡ３、ＬＡ５〜ＬＡ７、ＬＡ１０〜ＬＡ１２  レイアウト領域
ＢＡ１、ＢＡ２、ＢＡ３  非レイアウト領域
ＡＤ１  アルバム画像データ
ＡＰ１  アルバム画像
【図１】
2006350521.tif 000003
【図２】
2006350521.tif 000004
【図３】
2006350521.tif 000005
【図４】
2006350521.tif 000006
【図５】
2006350521.tif 000007